(57)【特許請求の範囲】
【請求項１】
底壁(11)とその周縁に形成された周壁(12a〜12d)とからなる縦長トレイ状ケース(1)と、該トレイ状ケース(1)の上面全体を覆う第１位置と該上面の一部を開放する第２位置とに変位可能に構成された蓋板(2)とからなり、該蓋板(2)を第２位置にしたときの開口部が、収納した粒状物(3)の取り出し口(14)として構成された包装用容器において、
上記蓋板(2)は、上記トレイ状ケース(1)の１コーナー部を中心に上記第１位置と第２位置の間で回動可能に連結されており、
上記トレイ状ケース(1)と蓋板(2)の一方(2)は摺動片(23)を備え、その他方(1)は該トレイ状ケース(1)に対する蓋板(2)の変位の際に該摺動片(23)が摺動する摺動面(17e)を備え、該摺動面(17e)は、該蓋板(2)が第１位置から第２位置へ向かって変位するに従って該摺動片(23)が強く圧接するように、該摺動片(23)の軌跡に対して傾斜をもって構成されたことを特徴とする包装用容器。
【請求項２】
上記トレイ状ケース(1)は、上記取り出し口(14)を、収納した粒状物(3)をひとつ収納できる容積に制限する壁面(17a)を備え、該壁面(17a)に、該取り出し口(14)の先端部へ粒状物(3)を案内する案内面(18a)と、該取り出し口(14)の先端部からの粒状物(3)の戻りを防止する戻り防止面(18b)とを有する突起(18)が形成されたことを特徴とする請求項１記載の包装用容器。
【発明の詳細な説明】
【０００１】
【発明の属する技術分野】
本発明は、トレイ状ケースとその上面を覆う蓋板とから構成された粒状物収納用の包装用容器であって、トレイ状ケースに対して蓋板をずらすことにより取り出し口を開いて粒状物を取り出すタイプの包装用容器に関する。
【０００２】
【従来の技術】
従来より、例えば粒状の菓子を収納する包装用容器として、図７（ａ）及び図７（ｂ）に示すように、トレイ状ケース５０と蓋板５１（これらの断面形状を図７ｂに仮想線で示している）とから薄い直方体状に形成するとともに、蓋板５１をトレイ状ケース５０に対して容器の長手方向沿いにスライド可能に構成し、蓋板５１をずらしたときに開くトレイ状ケース５０の一端（図の左側端部）を取り出し口５２にした容器が用いられている。この容器では、トレイ状ケース５０の一端全体を取り出し口にするとその幅が広くなりすぎ、菓子が一度にたくさん出てしまうため、図７（ｃ）に示すように、トレイ状ケースの一端にＬ形の壁面５３を設け、この壁面５３の中をデッドスペースにしてその部分には菓子が入らないようにすることで、菓子の出過ぎを防止している。
【０００３】
このように構成した容器は、親指と他の指の間で容器の長手方向を親指に沿う向きにしてはさみ、親指を手前に引くことで蓋板を図のＡ方向へスライドさせて取り出し口５２を開いて使用する。しかし、親指を手前に引く動きは人によっては不自然と感じられることがあり、そのため、人によってはこの容器を使いにくいと感じることがあった。なお、容器の向きを変えて持てば操作方向を変えることは可能であるが、その場合には容器を持ちにくくなり、かえって操作性が低下してしまう。
【０００４】
【発明が解決しようとする課題】
したがって、本発明の解決すべき技術的課題は、親指を手前に引く動きでなく、別の方向への動きで取り出し口を開けるようにすることによって、上述した従来の容器の使用時の指の動きを不自然と感じる人にとって、より操作感の優れた粒状物収納用の包装用容器を提供することである。
【０００５】
【課題を解決するための手段及び作用・効果】
本発明に係る包装用容器は、底壁とその周縁に形成された周壁とからなる縦長トレイ状ケースと、このトレイ状ケースの上面全体を覆う第１位置とその上面の一部を開放する第２位置とに変位可能に構成された蓋板とからなり、蓋板を第２位置にしたときの開口部が、収納した粒状物の取り出し口として構成された包装用容器であって、上述の技術的課題を解決するために、蓋板が、トレイ状ケースの１コーナー部を中心に上記第１位置と第２位置の間で回動可能に連結されたことを特徴としている。
【０００６】
上記構成においては、蓋板がトレイ状ケースに対して回転するように構成されているため、容器を親指に沿って持った状態で、親指を左右に動かすというより自然な動きで蓋板を開け、菓子などの粒状物を取り出すことができる。したがって、親指を手前に引くことによって蓋板を開くようにしていた従来の容器を不自然と感じる人にとって操作感に優れた容器を提供することができる。
【０００７】
また、上記構成においては、トレイ状ケースと蓋板の一方に摺動片を設け、その他方にトレイ状ケースに対する蓋板の変位の際に摺動片が摺動する摺動面を設け、摺動面を、蓋板が第１位置から第２位置へ向かって変位するに従って摺動片が強く圧接して行くように、摺動片の軌跡に対して傾斜をもって構成することが好ましい。
【０００８】
このように構成すれば、蓋板を開く際に第１位置から第２位置に向かうにしたがって摺動片が摺動面に強く圧接するようになり、操作感が徐々に硬くなって行く。そして、第２位置において手を離しても、蓋板は、摺動面に対して摺動片が圧接するため開いた状態に保持される。したがって、蓋板を開くときのしっかりとした操作感を得ることができるとともに、蓋板が開いた状態を手でしっかりと保持しておかなくても蓋板が不用意に閉まってしまうことを防止できる。
【０００９】
また、上記構成においては、トレイ状ケースに、取り出し口の容積を、収納した粒状物をひとつ収納できる容積に制限する壁面を設け、この壁面に、取り出し口の先端部へ粒状物を案内する案内面と、取り出し口の先端部からの粒状物の戻りを防止する戻り防止面とを有する突起を形成することが好ましい。
【００１０】
このように構成すれば、粒状物は、突起を乗り越えてから取り出し口の先端部に一つだけ入り、いったん入った後は、山状の突起により後戻りが防止される。このため、容器内の粒状物を簡単に一粒ずつ取り出すことができる。
【００１１】
【発明の実施の形態】
以下に、本発明に係る包装用容器の実施の形態について、図１から図６を用いて詳細に説明する。この容器は、粒状の菓子などを収納するように構成されており、図１はこの容器の斜視図、図２は正面図である。この包装用容器は、それぞれがプラスチック成形品により構成されたトレイ状ケース１と蓋板２とからなっている。図３にトレイ状ケースを、図４に蓋板を示しており、図３（ａ）はトレイ状ケースの正面図、図３（ｂ）はその左側面図、図３（ｃ）は図３（ａ）のIIIｃ−IIIｃ線断面図であり、図４（ａ）図は蓋板の背面図、図４（ｂ）はその右側面図、図４（ｃ）は図４（ａ）のIVｃ−IVｃ線断面図である。また、図５（ａ）は図２のVａ−Vａ線断面図、図５（ｂ）は図２のVｂ−Vｂ線断面図である。
【００１２】
トレイ状ケース１は、底壁１１と、その周縁に形成された側壁１２ａ〜１２ｄからなる周壁とから形成されている。底壁１１は、ほぼ長方形で、図３（ａ）の上辺が、左下端部の点Ｏを中心とする円弧に沿って形成されている。蓋板２は、トレイ状ケース１の上面全体を覆うように、トレイ状ケース１と縦横の長さが同じ長方形に形成されている。蓋板２は、トレイ状ケース１に、点Ｏを中心として傾動するように連結されており、このため、トレイ状ケース１には枢支穴１３ａを有する枢支部１３が形成され、蓋板２には、枢支穴１３ａと係合するピン２１が形成されている。ピン２１は軸方向に沿って２分割されており、その一方の先端に形成された膨出部２１ａが枢支部１３に係止するようになっている。
【００１３】
蓋板２は、点Ｏを中心として、トレイ状ケース１の上面全体を覆う第１位置（図２の実線の位置）と、トレイ状ケース１の上面の一部を開放する第２位置（図２の仮想線の位置）とに変位可能に構成され、蓋板２を第２位置にしたときの開口部が、収納した粒状物の取り出し口１４として構成されている。また、トレイ状ケース１から蓋板２が外れるのを防止するために、蓋板２の裏面の上辺中央部には係合爪２２が形成されており、トレイ状ケース１には、第１位置と第２位置の間での蓋板２の変位の際に係合爪２２がスライド可能に係合する係合片１５が形成されている。
【００１４】
蓋板２の裏面には、蓋板２を開閉操作する際の操作部として突片２３が形成されており、その表面には、この位置が操作部であることを示す複数の小さな凸部２３ａが形成されている。トレイ状ケース１の側壁１２ａには、蓋板２の操作の際の突片２３の動作を可能とする凹部１６が形成されている。凹部１６は、側壁１２ａの凹陥部であり、大略コの字形に組み合わされた壁面１７ａ，１７ｂ，１７ｃにより構成されている。壁面１７ｂは、トレイ状ケース１の左下端部のコーナーに向かって延びる壁面１７ｄに連接している。取り出し口１４は、粒状物が一つだけ入る大きさであり、このことは、側壁１２ａ，１２ｂに対する壁面１７ａの位置設定によりなされている。なお、蓋板２の裏面には、第１位置と第２位置のにおいて側壁１２ａまたは壁面１７ｄに当接する突起２４が形成され（図３（ａ）及び図５（ｂ）参照）、蓋板２の可動範囲のストッパになっている。
【００１５】
壁面１７ａの下面１７ｅは、トレイ状ケース１に対する蓋板２の変位の際に突片（摺動片）２３の上端面が摺動する摺動面として形成されている。この摺動面１７ｅは、蓋板２が第１位置から第２位置へ向かって変位するに従って摺動片２３が強く圧接するように、摺動片２３の軌跡である半径Ｒの円弧に対してわずかに傾斜をもって構成されている。また、蓋板２が不用意に第１位置から第２位置へ動かないように、壁面１７ａの下面１７ｅには、小さな突起１７ｆが形成されている。
【００１６】
一方、この壁面１７ｅの上面には、取り出し口１４の先端部へ粒状物を案内する案内面１８ａと、取り出し口１４の先端部からの粒状物の戻りを防止する戻り防止面１８ｂとを有する三角形の突起１８が形成されている。なお、この突起１８は、側壁１２ｂとの間の隙間が粒状物が一つだけ通過可能となる突出量を有しており、したがって、粒状物が取り出し口１４の先端部から戻ることも可能ではあるが、取り出し口の中に入った粒状物は、ほとんどの場合において、戻り防止面１８ｂに当たって取り出し口の中に止まることになる。
【００１７】
上記構成においては、蓋板２をトレイ状ケース１に対して回動するように構成しているため、図６に示すように、容器を親指に沿って持った状態で、親指を左右に動かすというより自然な動きで蓋板を開け、菓子などの粒状物３を取り出すことができる。したがって、親指を手前に引くことによって蓋板を開くようにしていた従来の容器を不自然と感じる人にとって操作感に優れた容器を提供することができる。
【００１８】
トレイ状ケース１に対する蓋板２の変位の際に蓋板２の突片２３が摺動するトレイ状ケース１の摺動面１７ｅを、蓋板２が第１位置から第２位置へ向かって変位するに従って摺動片２３が強く圧接して行くように突片２３の軌跡に対して傾斜をもって構成しているため、蓋板２を開く際に第１位置から第２位置に向かうにしたがって突片２３が摺動面１７ｅに強く圧接するようになり、操作感が徐々に硬くなって行く。また、第２位置において手を離しても、蓋板２は、摺動面１７ｅに対して突片２３が圧接するため開いた状態に保持される。したがって、蓋板２を開くときのしっかりとした操作感が得られ、かつ、蓋板２が開いた状態を手で保持しておかなくても蓋板２が不用意に閉まってしまうことを防止できる。
【００１９】
なお、上記構成では摺動片としての突片２３を操作部に設け、この突片２３が第２位置に向かうに従って摺動面１７ｅと強く圧接するようにしているが、摺動片２３と摺動面１７ｅは任意の位置に設けることができる。例えば、これらを半径Ｒの小さな位置に設ければ突片２３のストロークが小さくなるので、突片２３の軌跡に対して小さな傾斜でも操作感を硬くしやすく、半径Ｒの大きな位置に設ければストロークが大きくなるので、蓋板２が第２位置へ向かってゆっくりと締まる操作感を得やすい。
【００２０】
また、上記構成においては、トレイ状ケース１の壁面１７ａに、取り出し口１４の先端部へ粒状物を案内する案内面１８ａと、取り出し口１４の先端部からの粒状物の戻りを防止する戻り防止面１８ｂとを有する突起１８を形成して、粒状物３が、突起１８を乗り越えてから取り出し口１４の先端部に一つだけ入り、いったん入った後は突起１４により後戻りを防止するようにしているため、容器内の粒状物を簡単に一粒ずつ取り出すことができる。なお、この突起１８は、上述の例では二等辺三角形としているが、壁面１７ａに対して案内面１８ａをゆるやかに、戻り防止面１８ｂを急角度に形成してもよく、また、円弧状に形成して、その右側部分を案内面に、左側部分を戻り防止面にするなど、種々の態様が可能である。
【図面の簡単な説明】
【図１】  本発明に係る包装用容器の実施の形態を示す斜視図である。
【図２】  この容器の正面図である。
【図３】  この容器のトレイ状ケースを示し、（ａ）図は正面図、（ｂ）図はその左側面図、（ｃ）図は（ａ）図のIIIｃ−IIIｃ線断面図である。
【図４】  この容器の蓋板を示し、（ａ）図は背面図、（ｂ）図はその右側面図、（ｃ）図は（ａ）図のIVｃ−IVｃ線断面図である。
【図５】  （ａ）図は図２のVａ−Vａ線断面図、（ｂ）図は図２のVｂ−Vｂ線断面図である。
【図６】  この容器の使用状態を示す斜視図である。
【図７】  従来の包装用容器を示す斜視図である。
【符号の説明】
１  トレイ状ケース
２  蓋板
３  粒状物
１１  底壁
１２ａ〜１２ｄ  側壁（周壁）
１３  枢支部
１３ａ  枢支穴
１４  取り出し口
１５  係合片
１６  凹部
１７ａ〜１７ｄ  壁面
１７ｅ  摺動面
１７ｆ  突起
１８  突起
１８ａ  案内面
１８ｂ  戻り防止面
２１  ピン
２１ａ  膨出部
２２  係合爪
２３  突片（摺動片）
２３ａ  凸部
２４  突起
【図１】
0003694089.tif 000002
【図２】
0003694089.tif 000003
【図３】
0003694089.tif 000004
【図４】
0003694089.tif 000005
【図５】
0003694089.tif 000006
【図６】
0003694089.tif 000007
【図７】
0003694089.tif 000008